(57)【要約】【課題】より簡単な施工で屋根板１の上に断熱板２０を安定的に敷き詰めて、断熱屋根構造とする。【解決手段】屋根板１の上に、基板部１１と軒先側と反対側に開放した受け口部１４とを持つ長尺状の断熱板留め付け部材１０が、軒先に平行に多段に固定される。隣接する断熱板留め付け部材１０，１０間には、受け口部１４に一方の端縁を差し込んだ状態で断熱板２０が留め付けられる。断熱板の上には、防水シートのような保護層を形成する。【選択図】図１
2007154426.tif 000002
【特許請求の範囲】
【請求項１】
屋根板の上に、基板部と軒先側と反対側に少なくとも形成した受け口部とを持つ長尺状の断熱板留め付け部材が、軒先に平行に多段に固定されており、隣接する断熱板留め付け部材間には、受け口部に端縁を差し込んだ状態で断熱板が留め付けられていることを特徴とする断熱屋根構造。
【請求項２】
断熱板留め付け部材は屋根板に固定した複数個の固定治具を介して屋根板に固定されていることを特徴とする請求項１に記載の断熱屋根構造。
【請求項３】
屋根板は、軒先に直交する方向に間隔をおいて複数本の凸条を有している形状の屋根板であることを特徴とする請求項１または２に記載の断熱屋根構造。
【請求項４】
少なくとも一部の凸条の上面には立ちはぜが形成されていることを特徴とする請求項３に記載の断熱屋根構造。
【請求項５】
留め付けられた断熱板の上には保護層が形成されていることを特徴とする請求項１〜４のいずれかに記載の断熱屋根構造。
【請求項６】
断熱板として予め保護層を一体に積層したものが用いられていることを特徴とする請求項５に記載の断熱屋根構造。
【請求項７】
請求項１〜６のいずれかに記載の断熱屋根構造で用いる断熱板留め付け部材であって、屋根板の上に乗ることのできる長尺状の基板部と、長尺状基板部の短手方向のほぼ中央部から長手方向全長にわたり立ち上がる立ち上がり部と、立ち上がり部の上端から一方向または両方向に基板部と略平行に延出する水平部とを有しており、基板部と立ち上がり部と水平部とで断熱板の端縁を収容する受け口部が形成されていることを特徴とする断熱板留め付け部材。
【請求項８】
水平部が一方側にのみ延出している請求項７に記載の断熱板留め付け部材であって、基板部の水平部が延出していない側の上面には留め付ける断熱板の裏面に侵入することのできる突起が間隔をおいて形成されていることを特徴とする請求項７に記載の断熱板留め付け部材。
【請求項９】
請求項２に記載の断熱屋根構造で用いる固定治具であり、断熱板留め付け部材の受け口部と反対側の基板部部分をクリップするクリップ部と屋根板への固定部とを備えることを特徴とする固定治具。
【請求項１０】
請求項４に記載の断熱屋根構造で用いる固定治具であり、断熱板留め付け部材の受け口部と反対側の基板部部分をクリップするクリップ部と、クリップ部の下部に形成され立ちはぜ部を包囲する左右の側板と、左右の側板の下端に設けられ立ちはぜの下端部分を締め付けることのできる固定用ネジ部とを備えることを特徴とする固定治具。
【発明の詳細な説明】
【技術分野】
【０００１】
本発明は、屋根板の上に発泡樹脂板のような断熱板を配置した断熱屋根構造とそれに用いる断熱板留め付け部材および固定治具に関する。
【背景技術】
【０００２】
屋根に断熱構造を備えることが省エネルギ等の観点から求められる。しかし、工場や倉庫あるいは仮店舗等で採用されることの多い、スレート板やデッキプレートや溝板のような金属製の屋根板を用いた屋根において、断熱構造を備えることが十分に進んでいるとは言い難い。
【０００３】
既設新設を問わず比較的簡単に屋根板の上に断熱板を取り付け得るようにした屋根構造が特許文献１，２に提案されている。特許文献１には、いわゆる折板屋根の上に折板の頂部を跨ぐようにして断熱性も備えた保水板を敷設し、敷設した保水板の上に長尺平板状に形成された押さえ用バーを折板の頂部に平行に配置した後、全体を折板側から延出するボルトとナットとにより、共締め一体化するようにした屋根構造が記載されている。特許文献２には、折板屋根を構成する金属製折板の上に金属外皮部を持つ断熱材を敷設し、固定ビスをワッシャ状の固定金具を通して断熱材の上から折板に向けて打ち込むことにより、断熱板を折板に固定し、その上に防水シートをその裏面を前記固定金具に熱融着する等の手段により定着するようにした断熱屋根構造が記載されている。
【０００４】
【特許文献１】特開２００３−３３６３５９号公報
【特許文献２】特開２００２−６１３３９号公報
【発明の開示】
【発明が解決しようとする課題】
【０００５】
前記特許文献に記載の断熱屋根構造は、折板屋根の上に断熱板を比較的容易に固定することができ、低コストでの施工が可能となる。しかし、いずれの構造でも、断熱板を折板に固定するのに、ボルトや固定ビスが断熱板を貫通するようにしており、断熱板に破損が生じやすい。
【０００６】
また、特許文献１に記載のものでは、折板側に立設している既設のボルトを断熱板に予め形成したボルト貫通孔に通過させて断熱板を固定するようにしており、断熱板に形成するボルト貫通孔の位置決めに高い精度が求められ、精度が悪いと、敷設後に隙間が生じて断熱性能が低下する恐れがある。
【０００７】
特許文献２に記載のものは、敷設した断熱板の上から固定ビスを打ち込むようにしており、断熱板の間に隙間が生じる恐れは比較的小さいが、折板の頂部に正確にビスを打ち込むのに慎重な作業が求められる。また、断熱板を固定した後、その上に防水シートを敷き詰める作業も容易とはいえない。
【０００８】
本発明は、上記のような事情に鑑みてなされたものであり、より簡単な施工で屋根板の上に断熱板を安定的に敷き詰めることを可能とした、さらに改良された断熱屋根構造を提供することを目的とする。また、本発明は、その断熱屋根構造の施工に用いる断熱板留め付け部材と固定治具を提供することを目的とする。
【課題を解決するための手段】
【０００９】
本発明による断熱屋根構造は、基本的に、屋根板の上に、基板部と軒先側と反対側に少なくとも形成した受け口部とを持つ長尺状の断熱板留め付け部材が、軒先に平行に多段に固定されており、隣接する断熱板留め付け部材間には、受け口部に一方の端縁を差し込んだ状態で断熱板が留め付けられていることを特徴とする。
【００１０】
上記の断熱屋根構造では、屋根板に固定されている長尺状の断熱板留め付け部材を利用して断熱板を屋根板の上に固定するようにしており、断熱板に貫通孔が形成されることはないので、断熱板の破損を最大限回避することができる。また、断熱板同士の間に大きな隙間が生じるのも回避できる。さらに、断熱板は一方の端縁が断熱板留め付け部材の受け口部に差し込まれた状態で留め付けられており、そのままで安定した締め付け状態が得られる。
【００１１】
本発明による断熱屋根構造において、断熱板の材質に特に制限はないが、好ましくは、ポリスチレン、ポリエチレン、ポリプロピレン等の発泡樹脂が挙げられる。特に、ＪＩＳ  Ａ９５１１に規定される押し出し法ポリスチレン発泡体は好ましいが、ビーズ型内発泡により得られる発泡樹脂板であってもよい。断熱板留め付け部材の材料は、腐食しない材料であることを条件に任意であるが、防錆処理を施した金属製、非鉄金属製、樹脂製等が挙げられる。なかでも、軽量で加工もし易いことからアルミ等の非鉄金属製のものは好ましい。
【００１２】
本発明による断熱屋根構造において、断熱板留め付け部材は屋根板に直接固定されていてもよく、屋根板に固定した複数個の固定治具を介して屋根板に固定されていてもよい。固定治具を用いる場合、固定治具の材料は、断熱板留め付け部材と同じものを用いることができる。断熱板留め付け部材あるいは固定治具の屋根板への固定は、断熱材を留め付けない状態で行うことができるので、その固定作業は容易である。
【００１３】
本発明による断熱屋根構造において、屋根板は平板状であってもよく、軒先に直交する方向に間隔をおいて複数本の凸条を有している形状の屋根板であってもよい。後者の場合は、デッキプレート等を用いた、いわゆる折板屋根と称されるものでもよく、波板のようなスレート板を敷き詰めたものでもよい。また、いわゆる溝板を用い、その隣接する立ち上がり部にキャップ部材を被冠した形状の屋根板であってもよい。また、折板屋根の場合、すべての凸条の上面は平坦面であってもよく、少なくとも一部の凸条の上面に立ちはぜが形成されている形状であってもよい。後記するように、後者の場合には、好ましくは、立ちはぜ部分を跨ぐことのできる側板を持つ固定治具を介して、断熱板留め付け部材が屋根板に固定される。
【００１４】
本発明による断熱屋根構造において、好ましくは、留め付けられた断熱板の上には保護層が形成される。保護層には、亜鉛メッキ鋼板のような耐食性・耐候性に優れた金属板、塩化ビニル系樹脂シートやアスファルト系シートのような防水性シート、ポリウレタン系樹脂やアクリル系樹脂からなる被覆材、あるいはそれらを積層したものが挙げられる。保護層は、断熱板を屋根板に留め付け後に、断熱板の上に積層固定するようにしてもよく、予め保護層を一体に積層した断熱板を用い、断熱板の留め付けと保護層の積層とが同時に行われるようにしてもよい。
【００１５】
保護層を積層一体化した断熱板を用いる場合、断熱板の隣り合う２辺から所定量だけ外側に飛び出ている大きさの保護層を積層したものを用いることが推奨される。これにより、隣接する断熱板同士の突き合わせ部を保護層の飛び出ている部分で覆うことができるので、全体として隙間のないより完全な保護層を形成することができる。好ましくは、断熱板の裏面に不織布が積層される。それにより、断熱板の曲げ強度が向上し、上面に過度の集中荷重が生じたときに断熱板に亀裂が生じるのを効果的に回避することができる。
【００１６】
本発明は、上記の断熱屋根構造で用いる断熱板留め付け部材として、屋根板の上に乗ることのできる長尺状の基板部と、長尺状基板部の短手方向のほぼ中央部から長手方向全長にわたり立ち上がる立ち上がり部と、立ち上がり部の上端から一方向または両方向に基板部と略平行に延出する水平部とを有しており、基板部と立ち上がり部と水平部とで断熱板の端縁を収容する受け口部が形成されていることを特徴とする断熱板留め付け部材をも開示する。
【００１７】
上記の断熱板留め付け部材において、水平部が一方側にのみ延出している形態の断熱板留め付け部材の場合には、前記基板部の水平部が延出していない側の上面に、留め付ける断熱板の裏面に侵入することのできる突起を間隔をおいて形成することは好ましい形態である。このような突起を有することにより、留め付けた断熱板が横方向に不用意に移動するのを確実に防止することかでき、断熱板の留め付け態様をより安定化したものとすることができる。
【００１８】
本発明は、また、断熱板留め付け部材と共に用いる固定治具として、断熱板留め付け部材の受け口部と反対側の基板部部分をクリップするクリップ部と屋根板への固定部とを備える固定治具をも開示する。また、他の態様の固定治具、特に、屋根板の少なくとも一部の凸条の上面に立ちはぜが形成されている形状の屋根板に断熱板留め付け部材を固定するのに用いる固定治具として、断熱板留め付け部材の受け口部と反対側の基板部部分をクリップするクリップ部と、クリップ部の下部に形成され立ちはぜ部を包囲する左右の側板と、左右の側板の下端に設けられ立ちはぜの下端部分を締め付けることのできる固定用ネジ部とを備える固定治具をも開示する。
【００１９】
このような固定治具を用いることにより、長尺状の断熱板留め付け部材を屋根板の上に固定する作業をより簡便に行うことができるようになる。
【発明の効果】
【００２０】
本発明によれば、施工が容易かつ低コストであり、さらにより安定した断熱板の留め付け態様を備えた断熱屋根構造が得られる。
【発明を実施するための最良の形態】
【００２１】
以下、図面を参照しながら、本発明を実施の形態に基づき説明する。図１は本発明による断熱屋根構造の一形態を斜視図で示しており、図２はそこで用いる断熱板留め付け部材の一例を斜視図で示している。図３は屋根板の上に断熱板留め付け部材を用いて断熱板を留め付けるときの２つの態様を示しており、図４は屋根板の上に固定治具を用いて断熱板留め付け部材を固定する場合の一例を斜視図で示している。図５は本発明による断熱屋根構造の他の形態であって、屋根板として溝板を用いた場合を斜視図で示している。図６は本発明による断熱屋根構造のさらに他の形態であって、立ちはぜを有する屋根板の上に断熱材を留め付けた状態を斜視図で示しており、図７は図６に示す断熱屋根構造を軒先側から見て示している。図８は図６および図７に示した断熱屋根構造において、屋根板の上に断熱板留め付け部材を固定するのに用いる固定用治具を斜視図で示している。図９は断熱板の一例を、図１０は断熱板の他の例を示す斜視図であり、図１１は図１０に示す断熱板を用いて断熱屋根構造としたときの状態を説明するための断面図である。
【００２２】
図１に示す例において、屋根板１には、軒先に直交する方向の凸条２と凹溝３が交互に反復する形状の屋根板（デッキプレート）が用いられており、この例において、凸条２の頂部４・・は平坦な平面部４となっている。平面部４の上には、軒先と平行な方向に、複数の凸条２を跨ぐようにして、断熱板留め付け部材１０が多段に固定されている。
【００２３】
断熱板留め付け部材１０は、アルミのような金属材料あるいは樹脂材料からの押出成形などによって作られるものであり、図２に示すように、長尺状基板部１１と、その短手方向のほぼ中央部から長手方向全長にわたり立ち上がる立ち上がり部１２と、立ち上がり部１２の上端から、一方向に基板部１１と略平行に延出する水平部１３とを有しており、前記基板部１１と立ち上がり部１２と水平部１３とで、断熱板２０の端縁を収容するための受け口部１４を形成している。また、基板部１１における水平部１３が延出していない側の基板部部分１１ａの上面には、留め付ける断熱板２０の裏面に侵入することのできる大きさと形状の突起１５が、間隔をおいて複数個形成されている。基板部部分１１ａには、断熱板留め付け部材１０を屋根板１の前記凸条平面部４に固定するときに利用する留め具用開口１６も形成されている。図示しないが、立ち上がり部１２の上端から、両方向に基板部１１と略平行に水平部を延出させるようにしてもよく、この場合には、前記受け口部１４は、立ち上がり部１２を共通の底面部として左右双方に形成される。なお、この形態の断熱板留め付け部材を用いる場合には、後記する図３ｂに示す断熱板の留め付け方法が採用される。
【００２４】
前記突起１５は、基板部部分１１ａからの切り起こし片であってもよく、別部材を溶着などにより後付けしたものであってもよい。突起１５は先端が先鋭であることが好ましく、高さは留め付けようとする断熱板２０の厚さ以下、好ましくは厚さの１／１０〜１／３程度である。断熱板２０の留め付けに所要の安定性が確保される場合には、突起１５は省略してもよい。また、前記した留め具用開口１６も、後記するように固定用治具３０を用いる場合には省略してもよい。
【００２５】
断熱板２０は矩形状であり、好ましくはポリスチレン発泡体である。また、断熱板２０の厚さと前記断熱板留め付け部材１０に形成される受け口部１４の内法高さとはほぼ同一とされている。
【００２６】
図１に示す例において、断熱板留め付け具１０は、基板部部分１１ａに形成した留め具用開口１６を通して、上方から適宜の止めビス１７を屋根板１の凸条平面部４に打ち込むことにより、屋根板１に対して固定される。固定に際しては、図３ａに示すように、留め付けようとする断熱板２０の幅に合わせて、予め複数本の断熱板留め付け具１０を軒先に平行に、かつ受け口部１４が同じ方向となるようにして固定しておいてもよい。その場合には、隣接して固定されている断熱板留め付け具１０、１０の間に、一方の断熱板留め付け具１０の受け口部１４に、断熱板２０の一方の端縁を差し込んだ後に、下方に押し下げるという方法を反復することにより、必要枚数の断熱板２０を屋根板１の上に留め付けることができる。
【００２７】
図３ｂは断熱板２０の他の留め付け方法を示している。この場合には、断熱板留め付け具１０の受け口部１４に断熱板２０の一方の端縁を差し込んだ状態とし、それを屋根板１の凸条平面部４の上に置く。そして、差し込んだ断熱板２０の他方端縁側が、既に屋根板１に断熱板２０と共に固定してある断熱板留め付け具１０に衝接するまでスライドさせる。衝接により断熱板留め付け具１０の位置決めがなされるので、その位置で適宜の止めビス１７を用いて屋根板１の凸条平面部４に対して固定する。なお、断熱板２０の端縁が断熱板留め付け具１０に衝接する直前に端縁側を少し浮かした状態とし、衝接後に押し下げることにより、断熱板留め付け具１０の基板部部分１１ａに形成した突起１５は断熱板２０の裏面側に安定的に突き刺さった状態となる。
【００２８】
図４は固定用治具３０を用いて、断熱板留め付け具１０を屋根板１の凸条平面部４に固定する態様を示している。固定用治具３０は、好ましくは凸条平面部４の横幅よりも少し狭い幅のものであり、屋根板１の上に固定しようとする断熱板留め付け部材１０の前記受け口部１４と反対側の基板部部分１１ａを差し込んだ状態で弾性的にクリップするクリップ部３１と屋根板１の凸条平面部４への固定部３２とで構成される。好ましくは固定部３２には留め具用開口３３が形成されている。
【００２９】
固定に際しては、図４に示すように、断熱板留め付け部材１０の前記基板部部分１１ａをクリップ部３１に差し込んだ状態で、前記したと同じようにして断熱板留め付け部材１０の位置決めを行い、位置決め後、固定部３２から適宜の止めビス１７を打ち込んで、屋根板１の凸条平面部４に固定する。なお、固定治具３０は、すべての凸条平面部４に対して固定する必要はなく、少なくとも、断熱板留め付け部材１０の両端部近傍に位置する２箇所の凸条平面部４に対して固定すれば足りる。
【００３０】
図５に示す例は、屋根板１として、両側に立ち上がり片を持ついわゆる溝板６を用いた場合の例を示している。適宜の母屋７の上に支持基盤８（断熱材と防湿材の積層体であってもよい）が配されており、その上に一定間隔をおいて溝板６・・・が固定されている。隣接する溝板６同士の繋ぎ部分にはキャップ９が固定されており、該キャップ９に対して、前記したと同様にして、断熱板留め付け部材１０が固定され、かつ断熱材２０が留め付けられる。
【００３１】
図６および図７の例は、屋根板１として、少なくとも一部の凸条の上面には立ちはぜが形成されている屋根板に対して、断熱材２０を固定する場合を示している。図示のように、隣接する屋根板１ａ同士は、凸条２ａの頂部４ａに形成した立ち上がり部を互いにはぜ係合して接合されており、頂部には丸はぜのように立ちはぜ５が形成されている。
【００３２】
このような立ちはぜ５の上に断熱板留め付け部材１０を安定して固定することは容易でない。そのために、この態様では、図８の示すような第２の固定治具４０を用いて、断熱板留め付け部材１０を屋根板１に固定している。第２の固定治具４０は上記した固定治具３０と同様のクリップ部４１を有し、クリップ部４１の両側下部には立ちはぜ部５を両側から包囲する左右の側板４２，４２が垂下している。左右の側板４２，４２の下端には締め付けボルト４３，４３が螺合されている。
【００３３】
固定に際しては、左右の締め付けボルト４３，４３を開いた状態とし、左右の側板４２，４２の間に立ちはぜ部５が入り込むようにして、第２の固定治具４０を立ちはぜ部５に取り付ける。その後、前記と同様にして、クリップ部４１に断熱板留め付け部材１０の基板部部分１１ａを差し込み、かつ、断熱板留め付け部材１０の位置決めをする。その状態で左右の締め付けボルト４３，４３を締め付けることにより、図７に示すよう、第２の固定治具４０は立ちはぜ部５にしっかりと固定される。
【００３４】
図１あるいは図６に示すようにして、屋根板１の上に断熱板２０を固定した後に、その上に、防水シートのような表面層が通常形成される。図示の例では、断熱板２０の表面と断熱板留め付け部材１０の水平部１３との間に段差が生じており、その段差が小さいものである場合には、表面層の敷設に格別の支障は生じない。しかし、場合によっては、そのような段差のない平坦な面の断熱層を形成することが求められることがある。図９に示す断熱板２０ａは、その不都合を解消するものであり、全体の厚さは断熱板留め付け部材１０の前記立ち上がり部１２の高さと同じであり、その一方の端縁側に断熱板留め付け部材１０の前記水平部１３の厚さと同じ深さの切り込み部２１が形成されている。該切り込み部２１の側を断熱板留め付け部材１０の受け口部１４に差し込んだ状態で留め付けることにより、全体が平坦面となった断熱層を形成することができる。
【００３５】
図１０は断熱板のさらに他の形態であり、この断熱板２０ｂは、前記切り込み部２１を有するとともに、その上面に金属薄板の保護層２２を一体に積層している。保護層２２は断熱板２０ｂの隣り合う２辺から一定距離ａ，ｂだけ外側に飛び出る大きさとされている。そして、前記切り込み部２１側と反対側の側片からの飛び出し距離ａは、断熱板留め付け部材１０の前記水平部１３の幅よりも大きくされている。
【００３６】
この形態の断熱板２０ｂを用いることにより、断熱材２０ｂの留め付け作業と保護層形成作業を同時に行うことができる。また、図１１に示すように、隣接する断熱板２０ｂ，２０ｂ同士の突き合わせ部および断熱板留め付け部材１０の前記水平部１３の部分を保護層２２の飛び出ている部分で覆うことができるので、全体として隙間のないより完全な保護層が、断熱層の上に形成される。保護層２２の上にさらに防水シート等を敷き詰める場合には、このような飛び出し部のない保護層２２を持つ断熱板２０ｂを使用しても、格別の不都合は生じない。
【図面の簡単な説明】
【００３７】
【図１】本発明による断熱屋根構造の一形態を示す斜視図。
【図２】本発明による断熱板留め付け部材の一例を示す斜視図。
【図３】屋根板の上に断熱板留め付け部材を用いて断熱板を留め付けるときの２つの態様を示す図。
【図４】屋根板の上に固定治具を用いて断熱板留め付け部材を固定する場合の一例を示す斜視図。
【図５】本発明による断熱屋根構造の他の形態であって、屋根板として溝板を用いた場合での断熱材の留め付け状態を示す斜視図。
【図６】本発明による断熱屋根構造の他の形態であって、立ちはぜを有する屋根板の上に断熱材を留め付けた状態を示す斜視図。
【図７】図６に示す断熱屋根構造を軒先側から見て示す図。
【図８】図６および図７に示した断熱屋根構造において、屋根板の上に断熱板留め付け部材を固定するのに用いる固定用治具を示す斜視図。
【図９】断熱板の一例を示す斜視図。
【図１０】断熱板の他の例を示す斜視図。
【図１１】図１０に示す断熱板を用いて断熱屋根構造としたときの状態を説明するための断面図。
【符号の説明】
【００３８】
１…屋根板、２…屋根板の凸条、３…屋根板の凹溝、４…凸条頂部の平面部、５…立ちはぜ、６…溝板、９…キャップ、１０…断熱板留め付け部材、１１…長尺状基板部、１１ａ…水平部が延出していない側の基板部部分、１２…立ち上がり部、１３…水平部、１４…断熱板の受け口部、１５…突起、２０，２０ｂ，２０ｂ…断熱板、２１…切り込み部、２２…保護層、３０…固定用治具、１７…止めビス、３０…固定用治具、３１…クリップ部、３２…固定部、４０…第２の固定治具、４１…クリップ部、４２…側板、４３…締め付けボルト（固定用ネジ部）
【図１】
2007154426.tif 000003
【図２】
2007154426.tif 000004
【図３】
2007154426.tif 000005
【図４】
2007154426.tif 000006
【図５】
2007154426.tif 000007
【図６】
2007154426.tif 000008
【図７】
2007154426.tif 000009
【図８】
2007154426.tif 000010
【図９】
2007154426.tif 000011
【図１０】
2007154426.tif 000012
【図１１】
2007154426.tif 000013